(57)【要約】【課題】異常放電発生時の動作不良の発生を防止することができる脱臭空調システムを提供する。【解決手段】吸込口１２と吹出口１４とを結ぶ空気通路１６に設けられ、空気中に含まれる臭気を除去して脱臭する脱臭ユニット１８と、脱臭ユニット１８により脱臭された空気を吹出口１４から送出する送風機２０とを備えた脱臭空調システム１０において、脱臭ユニット１８は、少なくとも一対の電極を有し、電極への電圧印加によって電極間に放電プラズマを発生させ、これによりオゾンおよび紫外線を発生させる放電手段と、放電手段で発生させた紫外線が照射されることにより生じる光触媒作用によって空気中に含まれる臭気成分や有害物質の分解を行う光触媒を担持する光触媒担持体とを含んで構成され、脱臭ユニット１８に付着した付着物を除去する付着物除去手段２８をさらに備えるようにする。【選択図】図１
2011038673.tif 000002
【特許請求の範囲】
【請求項１】
吸込口と吹出口とを結ぶ空気通路に設けられ、空気中に含まれる臭気や有害物質を除去して脱臭する脱臭ユニットと、前記脱臭ユニットにより脱臭された空気を前記吹出口から送出する送風機とを備えた脱臭空調システムにおいて、
前記脱臭ユニットは、少なくとも一対の電極を有し、前記電極への電圧印加によって前記電極間に放電プラズマを発生させ、これによりオゾンおよび紫外線を発生させる放電手段と、
前記放電手段で発生させた紫外線が照射されることにより生じる光触媒作用によって空気中に含まれる臭気成分や有害物質の分解を行う光触媒を担持する光触媒担持体とを含んで構成され、
前記脱臭ユニットに付着した付着物を除去する付着物除去手段をさらに備えることを特徴とする脱臭空調システム。
【請求項２】
前記付着物除去手段は、前記放電手段で発生させたオゾンを前記脱臭ユニットの上流側に還流するオゾン還流手段を含むことを特徴とする請求項１に記載の脱臭空調システム。
【請求項３】
前記付着物除去手段は、前記電極を、弾性体を介して揺動可能に固定する電極固定手段を含むことを特徴とする請求項１または２に記載の脱臭空調システム。
【請求項４】
前記電極を加振する加振手段をさらに含むことを特徴とする請求項３に記載の脱臭空調システム。
【請求項５】
プラズマの異常放電を検出する異常放電検出手段と、空調空気の湿度を検出する湿度検出手段の少なくとも一方をさらに備え、少なくとも一方の前記検出手段による検出信号に応じて前記加振手段を駆動することを特徴とする請求項４に記載の脱臭空調システム。
【請求項６】
前記電極への印加電圧を制御する動作制御部をさらに備えることを特徴とする請求項１〜５のいずれか一つに記載の脱臭空調システム。
【請求項７】
プラズマの異常放電を検出する異常放電検出手段をさらに備え、前記動作制御部は、前記異常放電検出手段による異常放電の検出に応じて前記電極への印加電圧を制御することを特徴とする請求項６に記載の脱臭空調システム。
【請求項８】
前記異常放電検出手段は温度センサと画像センサと光センサの少なくとも一つを含み、前記センサによる検知信号に応じて異常放電を検出することを特徴とする請求項７に記載の脱臭空調システム。
【請求項９】
複数の前記脱臭ユニットを含んで構成され、前記異常放電検出手段で異常放電が検出された前記脱臭ユニットの動作を復旧動作モードで駆動する一方、異常放電が検出されない前記脱臭ユニットの動作を通常動作モードで駆動することを特徴とする請求項５、７または８のいずれか一つに記載の脱臭空調システム。
【発明の詳細な説明】
【技術分野】
【０００１】
本発明は、放電時に発生する紫外線を光触媒に照射して起こる化学反応を用いて、空調空気中に含まれている臭気成分や有害物質などを分解して脱臭する放電型光触媒による脱臭空調システムに関するものである。
【背景技術】
【０００２】
近年、シックハウス間題などにより居住空間内における空気質改善への要望が高まっている。また、ＣＯ２排出量の削減やエネルギー費用の削減など環境に配慮した空調機器やその運転方法への技術開発ニーズも大きくなっている。空気質改善に対しては、活性炭に代表される吸着剤を用いて臭気物質やＶＯＣ（揮発性有機化合物）などの有害物質を除去することが行われてきた（例えば、特許文献１参照）。しかしながら、この活性炭による吸着では、活性炭自体の寿命が短く、運転費が嵩み、さらに廃棄物が生ずるなどの問題がある。
【０００３】
一方、光触媒によって起こる化学反応を用いて、臭気物質やＶＯＣなどを分解処理する方法も知られている（例えば、特許文献２参照）。光触媒は、その強力な酸化力により多くの有機物質を分解することが可能であり、しかも光触媒自体は経年劣化が少なく、長時間安定した脱臭能力が得られるものと期待されている。この光触媒の励起には、紫外線の照射が必要であり、通常、紫外線ランプを照射することで励起しているが、紫外線ランプの寿命は短いという欠点がある。これに対し、大気中での放電により発生する紫外線を利用し、紫外線源の寿命を長くする脱臭システムが知られている（例えば、特許文献３参照）。
【先行技術文献】
【特許文献】
【０００４】
【特許文献１】特開２００３−１１４０４１号公報
【特許文献２】特開平９−７９６３７号公報
【特許文献３】特開２００６−３４０８１３号公報
【発明の概要】
【発明が解決しようとする課題】
【０００５】
ところで、上記の従来の特許文献３の脱臭システムでは、塵埃などの個体物質や難分解物質が光触媒表面に吸着した場合に、これを分解除去できずに光触媒の性能が低下し、動作不良が発生するおそれがある。また、紫外光の発生源として大気中での放電を利用することから、放電電極は大気中に設置される。このため、放電電極に大気中の塵埃などが付着した場合や大気の温湿度条件が良好でない場合などに異常放電が発生し、これにより動作不良が発生するおそれがある。
【０００６】
本発明は、上記に鑑みてなされたものであって、動作不良の発生を防止することができる脱臭空調システムを提供することを目的とする。
【課題を解決するための手段】
【０００７】
上記した課題を解決し、目的を達成するために、本発明の請求項１に係る脱臭空調システムは、吸込口と吹出口とを結ぶ空気通路に設けられ、空気中に含まれる臭気や有害物質を除去して脱臭する脱臭ユニットと、前記脱臭ユニットにより脱臭された空気を前記吹出口から送出する送風機とを備えた脱臭空調システムにおいて、前記脱臭ユニットは、少なくとも一対の電極を有し、前記電極への電圧印加によって前記電極間に放電プラズマを発生させ、これによりオゾンおよび紫外線を発生させる放電手段と、前記放電手段で発生させた紫外線が照射されることにより生じる光触媒作用によって空気中に含まれる臭気成分や有害物質の分解を行う光触媒を担持する光触媒担持体とを含んで構成され、前記脱臭ユニットに付着した付着物を除去する付着物除去手段をさらに備えることを特徴とする。
【０００８】
また、本発明の請求項２に係る脱臭空調システムは、上述した請求項１において、前記付着物除去手段は、前記放電手段で発生させたオゾンを前記脱臭ユニットの上流側に還流するオゾン還流手段を含むことを特徴とする。
【０００９】
また、本発明の請求項３に係る脱臭空調システムは、上述した請求項１または２において、前記付着物除去手段は、前記電極を、弾性体を介して揺動可能に固定する電極固定手段を含むことを特徴とする。
【００１０】
また、本発明の請求項４に係る脱臭空調システムは、上述した請求項３において、前記電極を加振する加振手段をさらに含むことを特徴とする。
【００１１】
また、本発明の請求項５に係る脱臭空調システムは、上述した請求項４において、プラズマの異常放電を検出する異常放電検出手段と、空調空気の湿度を検出する湿度検出手段の少なくとも一方をさらに備え、少なくとも一方の前記検出手段による検出信号に応じて前記加振手段を駆動することを特徴とする。
【００１２】
また、本発明の請求項６に係る脱臭空調システムは、上述した請求項１〜５のいずれか一つにおいて、前記電極への印加電圧を制御する動作制御部をさらに備えることを特徴とする。
【００１３】
また、本発明の請求項７に係る脱臭空調システムは、上述した請求項６において、プラズマの異常放電を検出する異常放電検出手段をさらに備え、前記動作制御部は、前記異常放電検出手段による異常放電の検出に応じて前記電極への印加電圧を制御することを特徴とする。
【００１４】
また、本発明の請求項８に係る脱臭空調システムは、上述した請求項７において、前記異常放電検出手段は温度センサと画像センサと光センサの少なくとも一つを含み、前記センサによる検知信号に応じて異常放電を検出することを特徴とする。
【００１５】
また、本発明の請求項９に係る脱臭空調システムは、上述した請求項５、７または８のいずれか一つにおいて、複数の前記脱臭ユニットを含んで構成され、前記異常放電検出手段で異常放電が検出された前記脱臭ユニットの動作を復旧動作モードで駆動する一方、異常放電が検出されない前記脱臭ユニットの動作を通常動作モードで駆動することを特徴とする。
【発明の効果】
【００１６】
本発明によれば、吸込口と吹出口とを結ぶ空気通路に設けられ、空気中に含まれる臭気や有害物質を除去して脱臭する脱臭ユニットと、前記脱臭ユニットにより脱臭された空気を前記吹出口から送出する送風機とを備えた脱臭空調システムにおいて、前記脱臭ユニットは、少なくとも一対の電極を有し、前記電極への電圧印加によって前記電極間に放電プラズマを発生させ、これによりオゾンおよび紫外線を発生させる放電手段と、前記放電手段で発生させた紫外線が照射されることにより生じる光触媒作用によって空気中に含まれる臭気成分や有害物質の分解を行う光触媒を担持する光触媒担持体とを含んで構成され、前記脱臭ユニットに付着した付着物を除去する付着物除去手段をさらに備える。
【００１７】
ここで、付着物除去手段は、例えば放電手段で発生させたオゾンを脱臭ユニットの上流側に還流するオゾン還流手段や、電極を弾性体を介して揺動可能に固定する電極固定手段を含んで構成することができる。光触媒担持体の表面に難分解物質が吸着したり、電極に塵埃等が付着することによって異常放電が発生した場合には、この付着物除去手段を作動することにより電極や光触媒担持体から付着物を除去することができる。したがって、動作不良の発生を防止することができるという効果を奏する。
【図面の簡単な説明】
【００１８】
【図１】図１は、本発明に係る脱臭空調システムの概略構成図である。
【図２】図２は、本発明に係る脱臭空調システムの脱臭ユニットの内部断面図である。
【図３】図３は、本発明に係る脱臭空調システムの脱臭ユニットの他の内部断面図である。
【図４】図４は、本発明に係る脱臭空調システムの他の概略構成図である。
【図５】図５は、本発明の実施例１の脱臭空調システムの動作を示すフローチャートである。
【図６】図６は、本発明の実施例２の脱臭空調システムの動作を示すフローチャートである。
【図７】図７は、本発明に係る脱臭空調システムの他の概略構成図である。
【図８】図８は、本発明に係る脱臭空調システムの他の概略構成図である。
【発明を実施するための形態】
【００１９】
以下に、本発明に係る脱臭空調システムの実施例を図面に基づいて詳細に説明する。なお、この実施例によりこの発明が限定されるものではない。
【００２０】
［実施例１］
図１は、本発明の実施例１に係る脱臭空調システム１０の構成図である。図１に示すように、本発明の実施例１の脱臭空調システム１０は、吸込口１２と吹出口１４とを結ぶ空気通路１６に設けられ、空気中に含まれる臭気や有害物質を除去して脱臭する脱臭ユニット１８と、脱臭ユニット１８により脱臭された空気を吹出口１４から室内２へ向けて送出する送風機２０と、除塵フィルタ２２と、温湿度調整ユニット２４と、オゾン分解触媒フィルタ２６と、付着物除去手段としてのオゾン還流配管２８（オゾン還流手段）とを備える。
【００２１】
さらに、本発明の実施例１の脱臭空調システム１０は、脱臭ユニット１８の駆動電源３０と、動作制御部３２と、室内に設けた湿度検出手段としての湿度センサ３４と、警報器３６とを備える。
【００２２】
脱臭ユニット１８は、図２に示すように、少なくとも一対の電極３８を有し、電極３８への電圧印加によって電極３８間に放電プラズマを発生させ、これによりオゾンおよび紫外線を発生させる放電手段４０と、この放電手段４０で発生させた紫外線が照射されることにより生じる光触媒作用によって空気中に含まれる臭気成分や有害物質の分解を行う光触媒を担持する光触媒担持体４２とからなる。
【００２３】
電極３８は、弾性体としてのばね４４を介した電極固定手段４６によって、脱臭ユニット１８のケース４８に揺動可能に固定してある。ケース４８または電極固定手段４６を揺すると電極３８が揺動し、電極３８に付着した塵埃などの付着物をふるい落とすことができる。この場合、図３に示すように、電極３８を加振する加振手段５０を設け、この加振手段５０を動作制御部３２からの制御信号で駆動して、電極３８を揺動させてもよい。加振手段５０は、脱臭ユニット１８のケース４８の外部に設けてもよく、電極３８を揺動可能であればいかなる配置、態様のものでもよい。
【００２４】
オゾン還流配管２８は、図１に示すように、脱臭ユニット１８の放電手段により生じたオゾン（Ｏ３）の一部を、脱臭ユニット１８の下流側１８ｂから上流側１８ａへ還流させるための配管である。オゾンの一部を脱臭ユニット１８の上流側１８ａに還流することで、脱臭ユニット１８内の光触媒担持体４２や電極３８に付着した難分解物質などを酸化分解することができる。なお、オゾン還流配管２８内に小型ファン等の送気手段を設け、脱臭ユニット１８の下流側１８ｂから上流側１８ａへオゾンの一部を強制的に還流させてもよい。
【００２５】
駆動電源３０は、脱臭ユニット１８の電極３８に電圧を印加するための電源であり、プラズマの異常放電を検出する異常放電検出手段としての放電モニタ回路３０ａが設けてある。放電モニタ回路３０ａからの検出信号は動作制御部３２に送られており、プラズマの異常放電の有無は、動作制御部３２により監視される。なお、異常放電検出手段を放電モニタ回路３０ａで構成する代わりに、脱臭ユニット１８の電極３８近傍に温度センサと画像センサと光センサの少なくとも一つを設けることによって構成してもよい。そして、これらのうち少なくとも一つのセンサによる検知信号に応じて異常放電を検出してもよい。
【００２６】
動作制御部３２には、脱臭ユニット１８の駆動電源３０と、送風機２０と、温湿度調整ユニット２４と、湿度センサ３４と、警報器３６とが接続される。動作制御部３２は、脱臭ユニット１８の電極３８に対する印加電圧と、送風機２０の回転数とをそれぞれ制御するとともに、湿度センサ３４による室内２の検出湿度を受信し、この信号に基づいて温湿度調整ユニット２４の温湿度を制御している。また、動作制御部３２は、所定の場合に発報信号を警報器３６に出力する制御を行う。なお、脱臭ユニット１８が、図３に示すような加振手段５０を備える場合には、動作制御部３２は、この加振手段５０の駆動も制御可能な構成とすることができる。この場合、放電モニタ回路３０ａと湿度センサ３４の少なくとも一方の検出信号に応じて加振手段５０の駆動を制御してもよい。
【００２７】
ここで、一般に、高湿度環境では異常放電が生じ易いため、動作制御部３２において高湿度条件下での異常放電の発生を検知した場合には、動作制御部３２は、湿度が予め設定した設定値以下に下がるまでは脱臭ユニット１８の電極３８への印加電圧を低下するように駆動電源３０を制御し、異常放電の続出を回避するようにする。一方、動作制御部３２において高湿度条件以外での異常放電の発生を検知した場合、脱臭ユニット１８の電極３８に異物が付着した疑いがあり、電極異常の警報信号を警報器３６に発報する制御を行う。
【００２８】
上記の実施例１の構成の動作および作用について説明する。
図１に示すように、空調のため室内２から吸入された空気は、除塵フィルタ２２により空気中に含まれる塵埃が除去され、温湿度調整ユニット２４により予め定めた温湿度に調整される。そして、脱臭ユニット１８により空気中に含まれる臭気物質や有害物質が分解・除去され、脱臭ユニット１８の放電手段４０により生じたオゾン（Ｏ３）をオゾン分解触媒フィルタ２６で除去した後、室内２へ吐出される。ここでいう有害物質は、空気中に元々含まれる有害物質の他に、光触媒によって生成した中間物質も含まれる。
【００２９】
ここで、脱臭ユニット１８の光触媒担持体４２の表面に難分解物質が付着した場合には、オゾン還流配管２８を通じてオゾンの一部を脱臭ユニット１８の下流側１８ｂから上流側１８ａに還流することで、光触媒担持体４２の表面に付着した難分解物質を酸化分解してこれを除去することができる。また、脱臭ユニット１８の電極３８に塵埃等が付着することによって異常放電が発生した場合には、電極固定手段４６を揺動することで、電極に付着した塵埃等をふるい落としてこれを除去することができ、正常な放電が阻害される事態を回避することができる。したがって、動作不良の発生を防止することができる。
【００３０】
また、図４に示すように、湿度センサ３４と共に温度センサ５２を室内２に設置し、室内２の温湿度変化の時刻履歴を動作制御部３２を介して測定する構成とすることもできる。この場合、高温、高湿状態から一定の割合で温度が低下した履歴において異常放電が発生したことを動作制御部３２が検知したときには、電極３８またはその近傍への結露が疑われる。この場合、電極３８への電圧印加を一時停止するとともに送風機２０を駆動して通風動作のみを行い、脱臭ユニット１８内部を乾燥させ結露を除去した後で脱臭ユニット１８の電極３８に再度電圧を印加する制御を行う。こうすることで、プラズマの放電に影響がある温湿度変化にも対応することができる。
【００３１】
さらに、上記以外の異常事象に対しては、以下のように動作制御部３２においてそれぞれ最適な制御を行うことができる。
【００３２】
例えば、図５のフローチャートに示すように、湿度センサ３４で検知される雰囲気の相対湿度が７０％以上の高湿度時に異常放電が生じた場合には（ステップＳ１１、Ｓ１２がｙｅｓ）、動作制御部３２は、電極３８への印加電圧を低下させ、低電圧で動作させる制御を行う（ステップＳ１３）。その後、異常放電が検出されず正常放電であると判定されれば（ステップＳ１４がｙｅｓ）、動作を続行し（ステップＳ１５）、相対湿度が低下して基準値、例えば５０％以下に低下した時点で（ステップＳ１６がＹｅｓ）、電極３８への印加電圧を元の電圧に復帰させる制御を行う（ステップＳ１７）。
【００３３】
一方、雰囲気の相対湿度が７０％以下の低〜中湿度時に異常放電が生じた場合には（ステップＳ１２がＮｏ）、環境条件による異常ではなく、電極３８への異物付着が原因として疑われる。したがって、このような状況では、動作制御部３２は脱臭ユニット１８の電極異常の警報信号を警報器３６に発報する制御を行い（ステップＳ１８）、動作を停止する（ステップＳ１９）。そして、この発報を受信した保守員が脱臭ユニット１８のメンテナンスを実施すればよい。
【００３４】
なお、この場合、脱臭ユニット１８のケース４８や電極固定手段４６を手動で揺すったり、加振手段５０を具備する場合にはこの動作を動作制御部３２で制御することにより、電極３８に付着した異物等をふるい落とすことが可能である。動作制御部３２は、ステップＳ１２がＮｏの場合に加振手段５０を駆動する制御を行ってもよい。
【００３５】
［実施例２］
図４に示すように、本発明の実施例２の脱臭空調システム１００は、上記の実施例１の脱臭空調システム１０と同様の構成であり、室内の使用雰囲気の温度および湿度をそれぞれ測定する温度センサ５２および湿度センサ３４を備える。
【００３６】
図６のフローチャートに示すように、動作制御部３２において、異常放電が検出され（ステップＳ２１）、単位時間に対する温度低下率が高湿度環境（相対湿度７０％以上（ステップＳ２２がＹｅｓ））から１０℃／３０分以上であると測定された場合には（ステップＳ２３がＹｅｓ）、脱臭ユニット１８内部に結露する可能性がある。
【００３７】
そのため、このような条件下で異常放電が検出された場合には、動作制御部３２は、脱臭ユニット１８の電極３８に電圧を印加せずに（ステップＳ２４）、３０分程度は通風動作のみ行うように制御し（ステップＳ２５）、脱臭ユニット１８内部を乾燥させる。その後、異常放電が検出されず正常放電であると判定されれば（ステップＳ２６がｙｅｓ）、動作を復帰し（ステップＳ２７）、脱臭ユニット１８の電極３８に電圧を印加して脱臭動作を行うように制御する。なお、ステップＳ２３において、単位時間に対する温度低下率が１０℃／３０分以上でない場合は（ステップＳ２３がＮｏ）、通常の高湿度時の対応を実行する制御を行う（ステップＳ３０）。
【００３８】
一方、雰囲気の相対湿度が７０％以下の低〜中湿度時に異常放電が生じた場合には（ステップＳ２２がＮｏ）、環境条件による異常ではなく、電極３８への異物付着が原因として疑われる。したがって、このような状況では、動作制御部３２は脱臭ユニット１８の電極異常の警報信号を警報器３６に発報する制御を行い（ステップＳ２８）、動作を停止する（ステップＳ２９）。そして、この発報を受信した保守員が脱臭ユニット１８のメンテナンスを実施すればよい。
【００３９】
なお、この場合、脱臭ユニット１８のケース４８や電極固定手段４６を手動で揺すったり、加振手段５０を具備する場合にはこの動作を動作制御部３２で制御することにより、電極３８に付着した異物等をふるい落とすことが可能である。動作制御部３２は、ステップＳ２２がＮｏの場合に加振手段５０を駆動する制御を行ってもよい。
【００４０】
上記の実施形態において、本発明の脱臭空調システムは、複数の脱臭ユニット１８を備える構成としてもよく、例えば、図７に示すように複数の脱臭ユニット１８を空気通路１６に対して並列に配置してもよいし、図８に示すように直列に配置してもよい。この場合、動作制御部３２で異常放電を検出した脱臭ユニット１８については、正常動作に復帰させる復旧動作モードで駆動制御する一方、異常放電を検出しない脱臭ユニット１８については、通常動作で稼働し続ける通常動作モードで駆動制御してもよい。
【００４１】
以上説明したように、本発明によれば、吸込口と吹出口とを結ぶ空気通路に設けられ、空気中に含まれる臭気や有害物質を除去して脱臭する脱臭ユニットと、前記脱臭ユニットにより脱臭された空気を前記吹出口から送出する送風機とを備えた脱臭空調システムにおいて、前記脱臭ユニットは、少なくとも一対の電極を有し、前記電極への電圧印加によって前記電極間に放電プラズマを発生させ、これによりオゾンおよび紫外線を発生させる放電手段と、前記放電手段で発生させた紫外線が照射されることにより生じる光触媒作用によって空気中に含まれる臭気成分や有害物質の分解を行う光触媒を担持する光触媒担持体とを含んで構成され、前記脱臭ユニットに付着した付着物を除去する付着物除去手段をさらに備える。
【００４２】
ここで、付着物除去手段は、例えば放電手段で発生させたオゾンを脱臭ユニットの上流側に還流するオゾン還流手段や、電極を弾性体を介して揺動可能に固定する電極固定手段を含んで構成することができる。光触媒担持体の表面に難分解物質が吸着したり、電極に塵埃等が付着することによって異常放電が発生した場合には、この付着物除去手段を作動することにより電極や光触媒担持体から付着物を除去することができる。したがって、動作不良の発生を防止することができるという効果を奏する。
【産業上の利用可能性】
【００４３】
以上のように、本発明に係る脱臭空調システムは、放電時に発生する紫外線を光触媒に照射して起こる化学反応を用いて、空調空気中に含まれている臭気成分や有害物質などを分解して脱臭する放電型光触媒による脱臭空調システムに有用であり、特に、異常放電の発生に伴う動作不良の発生を防止するのに適している。
【符号の説明】
【００４４】
２  室内
１０，１００  脱臭空調システム
１２  吸込口
１４  吹出口
１６  空気通路
１８  脱臭ユニット
２０  送風機
２２  除塵フィルタ
２４  温湿度調整ユニット
２６  オゾン分解触媒フィルタ
２８  オゾン還流配管（オゾン還流手段、付着物除去手段）
３０  駆動電源
３０ａ  放電モニタ回路（異常放電検出手段）
３２  動作制御部
３４  湿度センサ（湿度検出手段）
３６  警報器
３８  電極
４０  放電手段
４２  光触媒担持体
４４  ばね（弾性体）
４６  電極固定手段（付着物除去手段）
４８  ケース
５０  加振手段
５２  温度センサ
【図１】
2011038673.tif 000003
【図２】
2011038673.tif 000004
【図３】
2011038673.tif 000005
【図４】
2011038673.tif 000006
【図５】
2011038673.tif 000007
【図６】
2011038673.tif 000008
【図７】
2011038673.tif 000009
【図８】
2011038673.tif 000010